(57)【要約】【課題】袋本体の内部を保温しつつも蒸れを防止することで快適に使用することができる寝袋を提供する。【解決手段】保温性を有する袋状の袋本体２を備えてなり、該袋本体２の一部には、袋本体２の内部を通気するための通気部７が設けられていることを特徴とする。【選択図】図２
0003138304.tif 000002
【実用新案登録請求の範囲】
【請求項１】
保温性を有する袋状の袋本体を備えてなり、該袋本体の一部には、袋本体の内部を通気するための通気部が設けられていることを特徴とする寝袋。
【請求項２】
前記袋本体は、上端開口の袋状に形成されており、前記通気部は、袋本体の両側端部にそれぞれ形成されていることを特徴とする請求項１に記載の寝袋。
【請求項３】
前記袋本体は、上端開口の袋状に形成されており、前記通気部は、袋本体の上端部から下端部へ縦長に形成されていることを特徴とする請求項１又は２に記載の寝袋。
【請求項４】
前記通気部は、その上下方向中央部が上端部及び下端部よりも袋本体の幅方向内側となるように形成されていることを特徴とする請求項３に記載の寝袋。
【請求項５】
前記通気部は、その上下方向中央部が上端部及び下端部よりも袋本体の幅方向内側となるように円弧状に形成されていることを特徴とする請求項３に記載の寝袋。
【請求項６】
前記通気部には、該通気部を開閉可能な開閉手段が設けられており、通気部は、前記開閉手段にて開放されると通気し、開閉手段にて閉塞されると通気しないように構成されていることを特徴とする請求項１乃至５の何れかに記載の寝袋。
【請求項７】
前記袋本体は、保温性を有する前面部と該前面部に対向し保温性を有する後面部とが上端開口した袋状に接続されて形成されており、前記通気部は、前面部の一部に設けられていることを特徴とする請求項１乃至６の何れかに記載の寝袋。
【請求項８】
前記通気部はメッシュ生地からなることを特徴とする請求項１乃至７の何れかに記載の寝袋。
【考案の詳細な説明】
【技術分野】
【０００１】
本考案は、例えばキャンプや登山などの際に使用される寝袋に関する。
【背景技術】
【０００２】
従来、この種寝袋としては、保温性を有する袋状の袋本体を備えたものが知られている。かかる寝袋は、袋本体にて使用者の身体を包んで保温することができるため、例えば冬場や高山などの気温が低い場所での使用においては、使用者の体温が低下するのを効果的に防止することができる。
【考案の開示】
【考案が解決しようとする課題】
【０００３】
しかしながら、例えば夏場やレジャー施設などのそれほど気温が低くない場所での使用においては、袋本体の内部に熱が篭って蒸れてしまい、使い心地が悪くなる場合がある。
【０００４】
そこで、本考案は、上記実情に鑑みてなされ、袋本体の内部を保温しつつも蒸れを防止することで快適に使用することができる寝袋を提供することを課題とする。
【課題を解決するための手段】
【０００５】
本考案は、上記課題を解決すべくなされたものであり、本考案に係る寝袋は、保温性を有する袋状の袋本体を備えてなり、該袋本体の一部には、袋本体の内部を通気するための通気部が設けられていることを特徴とする。
【０００６】
該構成の寝袋にあっては、通気部が保温性を有する袋本体の一部に設けられているので、袋本体の内部の熱を、その保温性にて当該内部に保持しつつ、通気部から適度に外部へ放出することができる。
【０００７】
特に、前記袋本体は、上端開口の袋状に形成されており、前記通気部は、袋本体の両側端部にそれぞれ形成されていることが好ましく、寝袋を使用している使用者の両側において通気することができるので、効率良く通気を行うことができるという利点がある。
【０００８】
更に、前記袋本体は、上端開口の袋状に形成されており、前記通気部は、袋本体の上端部から下端部へ縦長に形成されていることが好ましく、寝袋を使用している使用者の頭部側から足側にかけて全体的に通気することができ、全体的に蒸れを防止することができる。
【０００９】
また更に、前記通気部は、その上下方向中央部が上端部及び下端部よりも袋本体の幅方向内側となるように形成されていることが好ましい。かかる構成であると、通気部の上下方向中央部では上下両端部よりも幅方向（横方向）内側にて通気することができるので、上下方向だけでなく幅方向にも広く通気することができ、効果的に蒸れを防止することができる。
【００１０】
また、前記通気部は、その上下方向中央部が上端部及び下端部よりも袋本体の幅方向内側となるように円弧状に形成されていることが好ましい。
【００１１】
更に、前記通気部には、該通気部を開閉可能な開閉手段が設けられており、通気部は、前記開閉手段にて開放されると通気し、開閉手段にて閉塞されると通気しないように構成されていることが好ましい。
【００１２】
かかる構成であると、開閉手段にて通気部を開放している場合には通気可能となって蒸れを防止することができ、一方で、開閉手段にて通気部を閉塞している場合には通気を遮断して袋本体の内部の熱が外部へ放出しないようにして保温効果を向上させることができる。従って、外部の気温等の状況に適した使い方が可能となる。
【００１３】
また更に、前記袋本体は、保温性を有する前面部と該前面部に対向し保温性を有する後面部とが上端開口した袋状に接続されて形成されており、前記通気部は、前面部の一部に設けられていることが好ましい。
【００１４】
また、前記通気部はメッシュ生地からなることが好ましい。
【考案の効果】
【００１５】
このように、本考案に係る寝袋にあっては、保温性を有する袋本体の一部に通気部が設けられているので、袋本体の内部の熱を、その保温性にて当該内部に保持しつつ、通気部から適度に外部へ放出することができ、従って袋本体内部を保温しつつも蒸れを防止することができる結果、快適に使用することができるという効果を奏する。
【考案を実施するための最良の形態】
【００１６】
以下、本考案に係る寝袋の一実施形態について図面を参酌しつつ説明する。
図１に、本実施形態における寝袋１が示されている。該寝袋１は、平面視長方形状の所謂封筒型の寝袋であるが、これに限らず、下端部側が上端部側よりも幅狭となっている所謂人形型（マミー型）の寝袋であってもよい。
【００１７】
寝袋１は、上方開口した保温性を有する袋状の袋本体２を備えてなり、該袋本体２は、使用者の少なくとも首部から足部までを覆うことができるように構成されている。袋本体２は、保温性を有する長方形状の前面部３と、該前面部３に対向し保温性を有する長方形状の後面部４とを備える。そして、袋本体２は、前後に対向した前面部３と後面部４とが三方シール、具体的には、前面部３と後面部４との一側端部同士３１，４１が縫着され、他側端部同士３２，４２及び下端部同士３３，４３が開閉可能にそれぞれ接続されることによって、上端部が開口した袋状に形成されている。
【００１８】
本実施形態では、前記他側端部同士３２，４２及び下端部同士３３，４３は、他端部全体及び下端部全体に亘る長さのスライドファスナーＳ１によって一連に接続されている。そして、このスライドファスナーＳ１は、両端部何れからでも開閉できるように構成されている。つまり、スライドファスナーＳ１は、その一端部からでも他端部からでも開閉できるように構成されており、従って、袋本体２の他側端部及び下端部は、それぞれ独立して開閉できる。
【００１９】
尚、袋本体２の上端部には、袋本体２の上端開口を開閉する第一締付部５及び第二締付部６が設けられている。これらの第一締付部５及び第二締付部６は、袋本体２の上端開口の周方向長さを調節することで当該開口を開閉するもので、前面部３及び後面部４の各々の上端部３４，４４全体に亘るように設けられている。
【００２０】
前面部３は、その上下方向の長さが使用者の少なくとも首部から足部までに対応した長さであり、幅方向の長さが使用者の肩幅よりも若干大きい長さである長方形状に形成されている。この前面部３は、例えばポリエステル等からなる表地と、該表地の内部に収納される例えばダウンや化繊等からなる保温部材とを備えてなる。
【００２１】
前面部３には、袋本体２の内部を通気するための通気部７がその一部に設けられている。この通気部７は、図２に示すように、少なくとも法線方向に通気性を有するメッシュ生地７ａからなる。尚、図２では、メッシュ生地７ａを網掛けにて示している。
【００２２】
通気部７は、袋本体２の内部と外部とを連通して袋本体２の内部の熱を外部へ放出するためのもので、前面部３の上端部３４から下端部３３へ向けて縦長に形成されている。より詳細には、通気部７は、その上下方向中央部７１が上端部７２及び下端部７３よりも前面部３の幅方向内側となるように形成されており、上下両端部７２，７３が前面部３の一側端部３１（又は他側端部３２）に位置し、上下方向中央部７１が一側端部３１（又は他側端部３２）から若干離間した位置となっている。本実施形態では、通気部７は、前面部３の幅方向内側に凸となる円弧状に形成されており、上端部７２（又は下端部７３）から上下方向中央部７１に向けて徐々に幅方向内側となっている。
【００２３】
また、通気部７には、該通気部７を開閉可能な開閉手段としてのスライドファスナーＳ２が上端部７２から下端部７３に亘って設けられている。このスライドファスナーＳ２を開くと、通気部７が開放されて通気可能となり、袋本体２の内部の熱が放出可能とされ、スライドファスナーＳ２を閉じると、通気部７が閉塞されて通気不能となり、袋本体２の内部の熱が当該内部に保持される。
【００２４】
尚、かかる通気部７は、前面部３の一側端部３１だけでなく他側端部３２にも形成されている。即ち、本実施形態においては、通気部７は、寝袋１を使用している使用者の両側部に対応して一対設けられており、具体的には、使用者の両脇部から両足部に対応するように一対設けられている。
【００２５】
また、前面部３には、その内面側にポケットＰが設けられている。このポケットは、その一側端部に形成されている開口部Ｐ１から収納物を出し入れすることができるように構成されており、該一側端部には、前記開口部Ｐ１を開閉することができるスライドファスナーＳ３が設けられている。
【００２６】
後面部４は、前記前面部３と略同形状の長方形状であり、例えばポリエステル等からなる表地と、該表地の内部に収納される例えばダウンや化繊等からなる保温部材とを備えてなる。
【００２７】
また、後面部４の他側端部４２には、該他側端部４２と前面部３の他側端部３２とを係止可能な第一係止部８と第二係止部９とが、後面部４の他側端部４２に沿って上下に並設されている。具体的には、第一係止部８及び第二係止部９の各々は、後面部４の他側端部４２の上端部から幅方向外側へ突設部８１，９１が突設され、その先端部に面ファスナーの一方側Ｍ１１，Ｍ２１が設けられてなる。
【００２８】
尚、前面部３の他側端部３２の上端部には、第一係止部８及び第二係止部９の各々の面ファスナーの一方側Ｍ１１，Ｍ２１と係合する面ファスナーの他方側Ｍ１２，Ｍ２２がそれぞれ上下に並設されている。更に、本実施形態においては、第一係止部８の面ファスナーの他方側Ｍ１２は、後面部４の他側端部４２の上端部にも設けられており、第二係止部９の面ファスナーの他方側Ｍ２２は、該第二係止部９の突設部９１の第二係止部９の面ファスナーの一方側Ｍ２１よりも基端部側にも設けられている。
【００２９】
かかる第一係止部８及び第二係止部９によって、前面部３の他側端部３２の上端部と後面部４の他側端部４２の上端部とをそれぞれ係止することにより、閉じ状態のスライドファスナーＳ１が不用意に開いてしまうのを防止することができる。
【００３０】
以上の構成の寝袋１にあっては、保温性を有する袋本体２の一部に通気部７が設けられているので、袋本体２の内部の熱を、その保温性にて保持しつつ通気部７を介して適度に外部へ放出することができる。従って、袋本体２の内部を保温しつつも蒸れを防止することができて快適に使用することができる。
【００３１】
また、前記通気部７は、袋本体２の両側端部にそれぞれ形成されているので、寝袋１を使用している使用者の両側にて通気することができ、効率良く通気を行うことができる。
【００３２】
更に、前記通気部７は、前面部３の上端部３４から下端部３３へ縦長に形成され、しかも、その上下方向中央部７１が上端部７２及び下端部７３よりも前面部３の幅方向内側となるように円弧状に形成されているので、寝袋１を使用している使用者の頭部側から足側にかけて全体的に通気することができ、しかも、上下方向だけでなく幅方向にも広く通気することができ、従って効果的に全体の蒸れを防止することができる。
【００３３】
また更に、通気部７には、該通気部７を開閉可能な開閉手段としてのスライドファスナーＳ２が設けられているので、該スライドファスナーＳ２を開くと、通気部７が開放されて通気可能となり、袋本体２の内部の熱を外部へ放出することができ、一方、スライドファスナーを閉じると、通気部７が閉塞されて通気不能となり、袋本体２の内部の熱を当該内部に保持することができる。従って、外部の気温や気候等の状況に応じて適宜使い分けることができる。
【００３４】
尚、本実施形態では、通気部７が前面部３に設けられている場合について説明したが、これに限らず、例えば、後面部４に設けてもよい。
【００３５】
また、本実施形態では、通気部７が上下方向に縦長に形成されている場合について説明したが、これに限らず、例えば、幅方向に横長に形成してもよい。或いは、寝袋１を使用する使用者の腹部や足部等の一部に対応して、例えば矩形状や円形状に形成してもよい。
【００３６】
更に、本実施形態では、通気部７が前面部３の幅方向内側に凸となる円弧状に形成されている場合について説明したが、これに限らず、例えば、上端部７２から下端部７３にかけて直線状に形成してもよく、或いは、上下方向中央部７１にて屈曲した折線状に形成してもよく、更には、上下方向中央部７１を含む所定領域を上下両端部７２，７３よりも幅方向内側に突出させた段差形状に形成してもよい。但し、通気部７が前面部３の幅方向内側に凸となる円弧状に形成されていることにより、開閉手段としてのスライドファスナーＳ２の開閉をスムーズに行うことができるという利点がある。
【図面の簡単な説明】
【００３７】
【図１】本考案の一実施形態に係る寝袋を示す正面図であり、通気部が閉塞されている状態を示す図。
【図２】同寝袋を示す正面図であり、通気部が開放されている状態を示す図。
【符号の説明】
【００３８】
１…寝袋、２…袋本体、３…前面部、４…後面部、５…第一締付部、６…第二締付部、７…通気部、７ａ…メッシュ生地、８…第一係止部、９…第二係止部、３１…前面部の一側端部、３２…前面部の他側端部、３３…前面部の下端部、３４…前面部の上端部、４１…後面部の一側端部、４２…後面部の他側端部、４３…後面部の下端部、４４…後面部の上端部、７１…通気部の上下方向中央部、７２…通気部の上端部、７３…通気部の下端部、８１，９１…突設部、Ｍ１１，Ｍ２１…面ファスナーの一方側、Ｍ１２，Ｍ２２…面ファスナーの他方側、Ｐ…ポケット、Ｐ１…開口部、Ｓ１，Ｓ２，Ｓ３…スライドファスナー
【図１】
0003138304.tif 000003
【図２】
0003138304.tif 000004